(57)【特許請求の範囲】
【請求項１】
カラオケ演奏曲を特定する曲識別情報、当該曲識別情報で特定される前記カラオケ演奏曲を含む所定範囲の映像データ、及び、当該曲識別情報で特定される前記カラオケ演奏曲の演奏時に実行された演出データ、を記憶したサーバに対し、ネットワークを介して通信可能に接続され、楽曲データを用いてカラオケ演奏曲の再生サービスを提供するカラオケ装置であって、
前記楽曲データを記憶した楽曲データ記憶手段と、
ユーザによる前記カラオケ演奏曲の予約を受け付ける予約受付手段と、
前記予約受付手段が受け付けた前記予約に基づき、前記楽曲データ記憶手段から読み出された前記楽曲データを再生する楽曲再生手段と、
前記予約受付手段で受け付けた前記カラオケ演奏曲に対する前記曲識別情報を前記サーバに送信し、前記サーバより、当該曲識別情報に対応した前記映像データ及び前記演出データを取得するデータ取得手段と、
前記楽曲再生手段により前記楽曲データの再生が行われるのにしたがい、前記データ取得手段により取得された前記映像データを表示可能な表示手段と、
前記楽曲再生手段により前記楽曲データの再生が行われるのにしたがい、当該楽曲データに係わる前記カラオケ演奏曲の演奏時における所定範囲の視野を撮影し、当該所定範囲の映像データを生成する動画撮影手段と、
前記楽曲再生手段により前記楽曲データの再生が行われるのにしたがい、前記データ取得手段により取得された前記演出データに対応した演出動作を演出装置が実行するための制御信号を出力する、制御信号出力手段と、
を有し、
前記楽曲再生手段により前記楽曲データの再生開始時に演出データがセットされ、
前記演出データに対応した演出動作を演出装置が実行され、
前記楽曲データの再生開始後に、前記ユーザによって実行された新たな演出操作に応じて、前記データ取得手段により取得された前記演出データから、新たな演出データを生成するデータ生成手段を有することで、前記制御信号出力手段は、前記楽曲データ演奏開始時の制御信号から、前記ユーザによって実行された新たな演出操作に応じた制御信号を新たに出力し、
前記演出装置は、前記楽曲データ演奏開始時の演出動作から、前記ユーザによって実行された新たな演出操作に応じた新たな演出動作を行い、
前記楽曲データの再生終了後に、前記動画撮影手段により生成された前記所定範囲の映像データと、当該カラオケ演奏曲に係わる曲識別情報と、前記データ生成手段により生成された前記新たな演出データとを、互いに関連付けて前記サーバへ出力する新データ送信手段を設けたことを特徴とするカラオケ装置。
【請求項２】
サーバと、前記サーバに対しネットワークを介して通信可能にそれぞれ接続され、楽曲データを用いてカラオケ演奏曲の再生サービスを提供する第１カラオケ装置及び第２カラオケ装置と、を有する通信カラオケシステムであって、
前記第１カラオケ装置は、
楽曲データを再生する第１楽曲再生手段と、
前記第１楽曲再生手段により前記楽曲データの再生が行われるのにしたがい、当該楽曲データに関連付けられた演出データに対応した演出動作を第１演出装置が実行するための制御信号を出力する、第１制御信号出力手段と、
前記第１楽曲再生手段により前記楽曲データの再生が行われるのにしたがい、当該楽曲データに係わるカラオケ演奏曲が演奏されたときの所定範囲の視野を撮影し、当該所定範囲の映像データを生成する動画撮影手段と、
前記動画撮影手段により生成された前記所定範囲の映像データと、当該カラオケ演奏曲に係わる曲識別情報と、前記演出データとを、前記サーバへ出力するデータ送信手段と、
を有し、
前記サーバは、
前記データ送信手段より出力された、前記映像データと、前記曲識別情報と、前記演出データとを、互いに関連付けて記憶する情報記憶手段
を有し、
前記第２カラオケ装置は、
楽曲データを記憶した楽曲データ記憶手段と、
ユーザによる前記カラオケ演奏曲の予約を受け付ける予約受付手段と、
前記予約受付手段が受け付けた前記予約に基づき、前記楽曲データ記憶手段から読み出された前記楽曲データを再生する第２楽曲再生手段と、
前記予約受付手段で受け付けた前記カラオケ演奏曲に対する前記曲識別情報を前記サーバに送信し、前記サーバの前記情報記憶手段より、当該曲識別情報に対応した前記映像データ及び前記演出データを取得するデータ取得手段と、
前記第２楽曲再生手段により前記楽曲データの再生が行われるのにしたがい、前記データ取得手段により取得された前記映像データを表示可能な表示手段と、
前記楽曲再生手段により前記楽曲データの再生が行われるのにしたがい、当該楽曲データに係わる前記カラオケ演奏曲の演奏時における所定範囲の視野を撮影し、当該所定範囲の映像データを生成する動画撮影手段と、
前記楽曲再生手段により前記楽曲データの再生が行われるのにしたがい、前記データ取得手段により取得された前記演出データに対応した演出動作を第２演出装置が実行するための制御信号を出力する、第２制御信号出力手段と、
を有し、
前記楽曲再生手段により前記楽曲データの再生開始時に演出データがセットされ、
前記演出データに対応した演出動作を演出装置が実行され、
前記楽曲データの再生開始後に、前記ユーザによって実行された新たな演出操作に応じて、前記データ取得手段により取得された前記演出データから、新たな演出データを生成するデータ生成手段を有することで、前記第２制御信号出力手段は、前記楽曲データ演奏開始時の制御信号から、前記ユーザによって実行された新たな演出操作に応じた制御信号を新たに出力し、
前記演出装置は、前記楽曲データ演奏開始時の演出動作から、前記ユーザによって実行された新たな演出操作に応じた新たな演出動作を行い、
前記楽曲データの再生終了後に、前記動画撮影手段により生成された前記所定範囲の映像データと、当該カラオケ演奏曲に係わる曲識別情報と、前記データ生成手段により生成された前記新たな演出データとを、互いに関連付けて前記サーバへ出力する新データ送信手段を設けた
ことを特徴とする通信カラオケシステム。
【発明の詳細な説明】
【技術分野】
【０００１】
本発明は、カラオケ演奏曲の演奏サービスを提供するカラオケ装置、及びこれを備えた通信カラオケシステムに関する。
【背景技術】
【０００２】
カラオケ装置によりカラオケ演奏曲が演奏されるとき、その場の雰囲気を盛り上げるための種々の演出（例えば照明や、ミラーボールや、スモーク等）が行われる場合がある。従来、このような演出を実行する演出装置を、カラオケ装置で演奏されるカラオケ演奏曲に合わせて制御する技術が既に知られている（例えば、特許文献１参照）。
【先行技術文献】
【特許文献】
【０００３】
【特許文献１】特許第３７４２６８５号
【発明の概要】
【発明が解決しようとする課題】
【０００４】
上記従来技術では、１つのカラオケ演奏装置において、カラオケ装置で演奏されるカラオケ演奏曲に合わせ演出装置を制御する構成が、開示されている。ここで、当該カラオケ演奏曲の演奏と共に実行された演出を、当該カラオケ演奏曲を演奏する他のカラオケ装置でも実行できるようにすれば、同じ演出効果を他のカラオケ装置でも再現することができ、ユーザの仮想的な一体感を向上できるはずである。
【０００５】
また、別の従来技術として、カラオケ装置で歌唱した動画映像を映像データとしてサーバへ投稿し、その映像データを他のカラオケ装置へダウンロードし、他のカラオケ装置で映像データを再生するときに、歌唱者も歌唱できるサービス（コラボレーション歌唱、通称、コラボ）もカラオケ市場では実施されている。
【０００６】
しかしながら、上記従来技術やサービスでは、映像は、一緒に再生されているものの、上記のような同一の演出効果の再現によるユーザの一体感の向上については特に配慮されていなかった。
【０００７】
本発明の目的は、カラオケ演奏曲の演奏時に実行された演出効果を別のカラオケ装置においても再現可能とし、ユーザの一体感を向上できる、カラオケ装置及び通信カラオケシステムを提供することにある。
【課題を解決するための手段】
【０００８】
上記目的を達成するために、第１の発明は、カラオケ演奏曲を特定する曲識別情報、当該曲識別情報で特定される前記カラオケ演奏曲を含む所定範囲の映像データ、及び、当該曲識別情報で特定される前記カラオケ演奏曲の演奏時に実行された演出データ、を記憶したサーバに対し、ネットワークを介して通信可能に接続され、楽曲データを用いてカラオケ演奏曲の再生サービスを提供するカラオケ装置であって、前記楽曲データを記憶した楽曲データ記憶手段と、ユーザによる前記カラオケ演奏曲の予約を受け付ける予約受付手段と、前記予約受付手段が受け付けた前記予約に基づき、前記楽曲データ記憶手段から読み出された前記楽曲データを再生する楽曲再生手段と、前記予約受付手段で受け付けた前記カラオケ演奏曲に対する前記曲識別情報を前記サーバに送信し、前記サーバより、当該曲識別情報に対応した前記映像データ及び前記演出データを取得するデータ取得手段と、前記楽曲再生手段により前記楽曲データの再生が行われるのにしたがい、前記データ取得手段により取得された前記映像データを表示可能な表示手段と、前記楽曲再生手段により前記楽曲データの再生が行われるのにしたがい、当該楽曲データに係わる前記カラオケ演奏曲の演奏時における所定範囲の視野を撮影し、当該所定範囲の映像データを生成する動画撮影手段と、前記楽曲再生手段により前記楽曲データの再生が行われるのにしたがい、前記データ取得手段により取得された前記演出データに対応した演出動作を演出装置が実行するための制御信号を出力する、制御信号出力手段と、を有し、前記楽曲再生手段により前記楽曲データの再生開始時に演出データがセットされ、前記演出データに対応した演出動作を演出装置が実行され、前記楽曲データの再生開始後に、前記ユーザによって実行された新たな演出操作に応じて、前記データ取得手段により取得された前記演出データから、新たな演出データを生成するデータ生成手段を有することで、前記制御信号出力手段は、前記楽曲データ演奏開始時の制御信号から、前記ユーザによって実行された新たな演出操作に応じた制御信号を新たに出力し、前記演出装置は、前記楽曲データ演奏開始時の演出動作から、前記ユーザによって実行された新たな演出操作に応じた新たな演出動作を行い、前記楽曲データの再生終了後に、前記動画撮影手段により生成された前記所定範囲の映像データと、当該カラオケ演奏曲に係わる曲識別情報と、前記データ生成手段により生成された前記新たな演出データとを、互いに関連付けて前記サーバへ出力する新データ送信手段を設けたことを特徴とする。
【０００９】
本願第１発明のカラオケ装置は、サーバに対して通信可能に接続されている。サーバには、予め、過去にあるユーザによりカラオケ演奏曲が演奏されたときの所定範囲の映像データと、当該カラオケ演奏曲の識別情報と、その歌唱時に演出装置で実行された演出データとが、互いに関連付けられ、セットで記憶されている。
【００１０】
ユーザがカラオケ演奏曲の予約を行うと、その予約は予約受付手段によって受け付けられる。そして、データ取得手段が、上記受け付けられたカラオケ演奏曲の曲識別情報をサーバに送信する。これにより、上記のようにしてサーバで曲識別情報にそれぞれ対応付けられて記憶された、複数の曲の映像データ及び演出データの中から、上記送信された曲識別情報に対応した映像データ及び演出データがダウンロードされ、データ取得手段によって取得される。
【００１１】
そして、上記予約に対応して楽曲再生手段によって楽曲データの再生が行われると、その再生にしたがい、表示手段が上記取得された映像データの表示を行う。これにより、カラオケ装置のユーザは、過去にユーザ（別のユーザでもよいし、当該ユーザ本人でもよい）が歌唱した同じ曲（当該曲識別情報に係わる曲）に係わる映像を再生して見ながら、当該過去のカラオケ演奏と仮想的に一体化した態様で、当該曲の歌唱を楽しむことができる。しかもそのとき、上記楽曲再生手段による楽曲データの再生にしたがい、制御信号出力手段が上記取得された演出データを実現するための制御信号を出力する。これにより、過去のカラオケ演奏時と同じ態様の演出効果を、今回、演出装置によって再現することができる。この結果、ユーザは、上記過去のカラオケ演奏時と同じ演出効果を得ることができ、さらに上記仮想的な一体感を向上することができる。
【００１２】
また、上記第１発明では、前記楽曲再生手段により前記楽曲データの再生開始時に演出データがセットされ、前記演出データに対応した演出動作を演出装置が実行され、前記楽曲データの再生開始後に、前記ユーザによって実行された新たな演出操作に応じて、前記データ取得手段により取得された前記演出データから、新たな演出データを生成するデータ生成手段を有する。
【００１３】
これにより、制御信号出力手段は、楽曲データ演奏開始時の制御信号から、ユーザによって実行された新たな演出操作に応じた制御信号を新たに変更出力する。そして、演出装置は、楽曲データ演奏開始時の演出動作から、ユーザによって実行された新たな演出操作に応じた新たな演出動作を行う。したがって、今回の歌唱時において、ユーザが意図的に演出の態様をさらに修正した場合、その修正した態様をこれ以降再現するための演出データを新たに生成することができる。
【００１４】
さらに、上記第１発明では、前記楽曲データの再生終了後に、前記動画撮影手段により生成された前記所定範囲の映像データと、当該カラオケ演奏曲に係わる曲識別情報と、前記データ生成手段により生成された前記新たな演出データとを、互いに関連付けて前記サーバへ出力する新データ送信手段を設けている。
【００１５】
また、本願第１発明においては、上記のように修正された演出データを新データ送信手段がサーバにアップロードする。これにより、これ以降、当該カラオケ演奏曲の歌唱時において、上記演出データに対応した新たな照明態様を、他のユーザ（又は同一ユーザでもよい）が容易に再現可能となる。この結果、前述のように演出態様を修正した場合であっても、演出効果の一体性は失われないので、上記仮想的な一体感を確実に維持することができる。
【００１６】
上記目的を達成するために、第２の発明は、サーバと、前記サーバに対しネットワークを介して通信可能にそれぞれ接続され、楽曲データを用いてカラオケ演奏曲の再生サービスを提供する第１カラオケ装置及び第２カラオケ装置と、を有する通信カラオケシステムであって、前記第１カラオケ装置は、楽曲データを再生する第１楽曲再生手段と、前記第１楽曲再生手段により前記楽曲データの再生が行われるのにしたがい、当該楽曲データに関連付けられた演出データに対応した演出動作を第１演出装置が実行するための制御信号を出力する、第１制御信号出力手段と、前記第１楽曲再生手段により前記楽曲データの再生が行われるのにしたがい、当該楽曲データに係わるカラオケ演奏曲が演奏されたときの所定範囲の視野を撮影し、当該所定範囲の映像データを生成する動画撮影手段と、前記動画撮影手段により生成された前記所定範囲の映像データと、当該カラオケ演奏曲に係わる曲識別情報と、前記演出データとを、前記サーバへ出力するデータ送信手段と、を有し、前記サーバは、前記データ送信手段より出力された、前記映像データと、前記曲識別情報と、前記演出データとを、互いに関連付けて記憶する情報記憶手段を有し、前記第２カラオケ装置は、楽曲データを記憶した楽曲データ記憶手段と、ユーザによる前記カラオケ演奏曲の予約を受け付ける予約受付手段と、前記予約受付手段が受け付けた前記予約に基づき、前記楽曲データ記憶手段から読み出された前記楽曲データを再生する第２楽曲再生手段と、前記予約受付手段で受け付けた前記カラオケ演奏曲に対する前記曲識別情報を前記サーバに送信し、前記サーバの前記情報記憶手段より、当該曲識別情報に対応した前記映像データ及び前記演出データを取得するデータ取得手段と、前記第２楽曲再生手段により前記楽曲データの再生が行われるのにしたがい、前記データ取得手段により取得された前記映像データを表示可能な表示手段と、前記楽曲再生手段により前記楽曲データの再生が行われるのにしたがい、当該楽曲データに係わる前記カラオケ演奏曲の演奏時における所定範囲の視野を撮影し、当該所定範囲の映像データを生成する動画撮影手段と、前記楽曲再生手段により前記楽曲データの再生が行われるのにしたがい、前記データ取得手段により取得された前記演出データに対応した演出動作を第２演出装置が実行するための制御信号を出力する、第２制御信号出力手段と、を有し、前記楽曲再生手段により前記楽曲データの再生開始時に演出データがセットされ、前記演出データに対応した演出動作を演出装置が実行され、前記楽曲データの再生開始後に、前記ユーザによって実行された新たな演出操作に応じて、前記データ取得手段により取得された前記演出データから、新たな演出データを生成するデータ生成手段を有することで、前記第２制御信号出力手段は、前記楽曲データ演奏開始時の制御信号から、前記ユーザによって実行された新たな演出操作に応じた制御信号を新たに出力し、前記演出装置は、前記楽曲データ演奏開始時の演出動作から、前記ユーザによって実行された新たな演出操作に応じた新たな演出動作を行い、前記楽曲データの再生終了後に、前記動画撮影手段により生成された前記所定範囲の映像データと、当該カラオケ演奏曲に係わる曲識別情報と、前記データ生成手段により生成された前記新たな演出データとを、互いに関連付けて前記サーバへ出力する新データ送信手段を設けたことを特徴とする。
【００１７】
本願第２発明の通信カラオケシステムは、第１カラオケ装置と、第２カラオケ装置と、これら第１及び第２カラオケ装置に通信可能に接続されたサーバとを有している。
【００１８】
第１カラオケ装置では、第１楽曲再生手段により楽曲データが再生されると、当該楽曲データに関連付けられた演出データが第１制御信号出力手段より出力される。これにより、楽曲データの再生にしたがった所定の態様で第１演出装置による演出動作が実行される。そして、その態様による演出を用いながら演奏されている当該楽曲データのカラオケ演奏時の所定範囲が、動画撮影手段によって撮影され、映像データが生成される。生成された映像データは、当該カラオケ演奏曲の曲識別情報と、上記演出データとともに、データ送信手段からサーバへ出力されてアップロードされる。サーバは、それら映像データ、曲識別情報、演出データを、セットで情報記憶手段に記憶する。
【００１９】
一方、第２カラオケ装置では、ユーザがカラオケ演奏曲の予約を行うと、その予約は予約受付手段によって受け付けられる。そして、データ取得手段が、上記受け付けられたカラオケ演奏曲の曲識別情報をサーバに送信する。これにより、サーバの情報記憶手段に曲識別情報にそれぞれ対応付けられて記憶された、複数の曲の映像データ及び演出データの中から、上記送信された曲識別情報に対応した映像データ及び演出データがダウンロードされ、第２カラオケ装置のデータ取得手段によって取得される。
【００２０】
そして、上記予約に対応して第２楽曲再生手段によって楽曲データの再生が行われると、その再生にしたがい、表示手段が上記取得された映像データの表示を行う。これにより、第２カラオケ装置のユーザは、過去に第１カラオケ装置のユーザ（別のユーザでもよいし、同一ユーザでもよい）が歌唱した同じ曲（当該曲識別情報に係わる曲）に係わる映像を再生して見ながら、当該過去のカラオケ演奏と仮想的に一体化した態様で、当該曲の歌唱を楽しむことができる。しかもそのとき、上記第２楽曲再生手段による楽曲データの再生にしたがい、第２制御信号出力手段が上記取得された演出データを実現するための制御信号を出力する。これにより、過去に第１カラオケ装置でカラオケ演奏されたときと同じ態様の照演出効果を、第２カラオケ装置側の第２演出装置によって再現することができる。この結果、第２カラオケ装置のユーザは、上記過去のカラオケ演奏時と同じ演出効果を得ることができ、さらに上記仮想的な一体感を向上することができる。
【発明の効果】
【００２１】
本発明によれば、カラオケ演奏曲の演奏時に実行された演出効果を別のカラオケ装置においても再現可能とし、ユーザの一体感を向上することができる。
【図面の簡単な説明】
【００２２】
【図１】本実施形態のカラオケ装置を備えた通信カラオケシステムの全体構成を表す機能ブロック図である
【図２】第１カラオケ装置の制御部により実行される処理手順の詳細を表すフローチャートである。
【図３】第２カラオケ装置の制御部により実行される処理手順の詳細を表すフローチャートである。
【図４】第１カラオケ装置及び第２カラオケ装置からサーバに送信される送信データのデータ構造の一例を模式的に示す図である。
【図５】第１カラオケ装置及び第２カラオケ装置の制御部により実行される処理手順の概念を示す説明図である。
【発明を実施するための形態】
【００２３】
以下、本発明の一実施の形態を図面を参照しつつ説明する。
【００２４】
図１は、本実施形態のカラオケ装置を備えた通信カラオケシステムの全体構成を表す機能ブロック図である。
【００２５】
図１において、通信カラオケシステム１は、少なくとも１つの第１カラオケ装置１０Ａと、少なくとも１つの第２カラオケ装置１０Ｂと、各カラオケ装置１０ごとに設けられた演出装置としての照明装置５０と、ホストサーバ２０とを有している。カラオケ装置１０Ａ，１０Ｂ（以下適宜、これらを総称して単に「カラオケ装置１０」という）は、例えばカラオケ店舗等のカラオケルームＫＲに設置されている。カラオケ装置１０は、楽曲データとしてのＭｕｓｉｃａｌ  Ｉｎｓｔｒｕｍｅｎｔ  Ｄｉｇｉｔａｌ  Ｉｎｔｅｒｆａｃｅ（ＭＩＤＩ；登録商標）データ及び映像データを用いて、カラオケ演奏曲の再生サービスを提供する装置である。カラオケ装置１０とホストサーバ２０とは、例えば通信ネットワーク等のネットワークＮＷとを介し、互いに情報送受信可能に接続されている。
【００２６】
カラオケ装置１０は、装置本体１００と、リモコン２５と、マイク３０と、動画撮影手段としてのカメラ４０とを有している。装置本体１００とリモコン２５とは、例えば無線又は有線のＬＡＮ等のネットワークを介し、互いに情報送受信可能に接続されている。装置本体１００とマイク３０とは、無線回線又は有線回線により接続されている。装置本体１００とカメラ４０とは、無線回線又は有線回線により接続されている。カラオケルームＫＲ内に設置された照明装置５０は、無線回線又は有線回線により装置本体１００と接続されている。
【００２７】
装置本体１００は、制御部１０１と、大容量記憶装置１０３と、操作部１０４と、受信部１０５と、音源１０６と、音声制御部１０７と、スピーカ１０８と、表示部１０９と、通信制御部１１０とを有している。
【００２８】
制御部１０１は、図示しないＣＰＵや、ＲＡＭ及びＲＯＭ等のメモリを備えている。この制御部１０１は、ＲＡＭの一時記憶機能を利用しつつ、ＲＯＭや上記大容量記憶装置１０３に予め記憶された各種プログラムを実行する。これにより、装置本体１００全体の制御を行う。
【００２９】
特に、制御部１０１は、カメラ４０により動画撮影された歌唱者を含むカラオケルームＫＲ内の所定範囲の映像データに対し画像処理を行い、その映像データを大容量記憶装置１０３に記憶するとともに表示部１０９に表示させる処理を行う。
【００３０】
大容量記憶装置１０３は、例えばＨａｒｄ  Ｄｉｓｋ  Ｄｒｉｖｅ（ＨＤＤ）などから構成される。この大容量記憶装置１０３は楽曲データ記憶手段として機能し、楽曲データ（ＭＩＤＩデータ）、背景映像データ、及び歌詞データ等の各種情報が記憶されている。また、この大容量記憶装置１０３には、ユーザの歌唱時の映像データが順次記憶される。さらに、大容量記憶装置１０３には、ユーザの歌唱時に照明装置５０でカラオケルームＫＲ内を照明する際の演出データとしての照明データが例えば各カラオケ演奏曲ごとに記憶されている。
【００３１】
照明データは、ユーザが照明態様を変更する照明操作を加えていない場合には、初期照明データが記憶されている。ユーザが照明態様を変更する照明操作を行った場合には、その変更を行った照明データを前の照明データに上書き更新（または積み上げて）新たな照明データとして順次記憶される。初期照明データとしては、個々の楽曲の進行に合わせて固有の照明態様を対応づけるように制作された照明データ（フルカスタム版）や、複数の楽曲に対し共通に制作され各楽曲の楽曲データに含まれる楽曲要素（音程の行程や音量の大小等）に合わせて特定の照明態様を対応づけた照明データ（全自動版）、上記フルカスタム版や全自動版の中間の性質をもつように、例えば楽曲の種別やジャンル等によりある程度パターン化されたなら照明態様を対応付けた照明データ（中間版）、等がある。
【００３２】
操作部１０４は、例えば複数のキーやスイッチなどから構成される。ユーザは、この操作部１０４又は後述のリモコン２５を用いて、カラオケ演奏曲の予約操作等の各種操作を行うことができる。
【００３３】
受信部１０５は、上記のマイク３０から出力された歌唱者の音声信号を受信する。
【００３４】
音源１０６は、上記制御部１０１によって大容量記憶装置１０３から読み出された楽曲データを再生して音声制御部１０７へ出力する。音声制御部１０７は、音源１０６から出力された楽曲データ、及び、受信部１０５を介してマイク３０により入力された音声信号を増幅し、スピーカ１０８へ出力する。スピーカ１０８は、音声制御部１０７から出力された楽曲データ及び音声信号を音声出力する。
【００３５】
なお、以下適宜、音源１０６、音声出力部１０７、及びスピーカ１０８を、省略して「音源１０６等」と称する。音源１０６等は、楽曲データを再生する楽曲再生手段を構成している。
【００３６】
表示部１０９は、例えば液晶ディスプレイなどから構成され、各種映像を表示する表示手段として機能する。特に、表示部１０９は、上記音源１０６等により楽曲データの再生が行われるのにしたがい、楽曲データの再生に同期して、大容量記憶装置１０３から読み出された背景映像データ、及び歌詞データに対応したテロップ等を表示することができる。
【００３７】
通信制御部１１０は、リモコン２５やホストサーバ２０との間で情報通信の制御を行う。
【００３８】
リモコン２５は、利用者がカラオケ演奏曲の予約操作等の各種操作を複数のキーやスイッチ等で行うための操作端末である。
【００３９】
カメラ４０は、歌唱時に歌唱者を含む所定範囲の視野を動画撮影するためのもので、その所定範囲の映像データを生成する。
【００４０】
照明装置５０は、カラオケ演奏曲の再生の際にカラオケルームＫＲ内を所定の態様で照明するためのもので、例えばカラオケルームＫＲの天井に下向きに備え付けられたり、カラオケルームＫＲの床に横向きや上向きに備え付けられている。照明装置５０は、照明データによる照明制御を行う照明コントローラ５０ａを備えている。照明データは、制御部１０１によって大容量記憶装置１０３から読み出して照明コントローラ５０ａに出力され、照明コントローラ５０ａは、照明データに対応した照明を行わせるよう照明装置５０を照明制御する。
【００４１】
ホストサーバ２０は、例えば大容量記憶装置等からなる図示しない情報記憶手段を備えている。ホストサーバ２０の情報記憶手段には、予め、過去にあるユーザがカラオケ演奏曲を歌唱したときの当該歌唱しているユーザの姿を含む所定範囲の映像データと、当該カラオケ演奏曲の曲ＩＤ（曲識別情報）と、その歌唱時に照明装置で実行された照明データとが、互いに関連付けられ、セットで記憶されている。
【００４２】
以上において、本実施形態のカラオケ装置１０を備えた通信カラオケシステム１の最大の特徴は、１つのカラオケ装置１０においてカラオケ演奏時に映像データに対応した照明データを用いて、他のカラオケ装置での同一楽曲のカラオケ演奏時において同じ態様の照明を実行可能としたことである。すなわち、例えば第１カラオケ装置１０Ａを利用してあるカラオケ演奏曲が演奏されユーザ（歌唱者）が歌唱した際、歌唱者を含む所定範囲の映像データ、及び、そのカラオケ演奏曲の歌唱時に実行された照明データがホストサーバ２０にアップロードされ、記憶される。その後、第２カラオケ装置１０Ｂにおいて上記とは別のユーザ（同一のユーザでもよい）が上記と同一のカラオケ演奏曲を歌唱する際、ホストサーバ２０に記憶されたカラオケ演奏曲の映像データ及び照明データの中から、当該カラオケ演奏曲に対応した映像データ及び照明データが第２カラオケ装置１０Ｂにダウンロードされる。そして、第２カラオケ装置１０Ｂでは、当該カラオケ演奏曲の再生に合わせて、取得された映像データによる映像が表示部１０９で表示される一方、取得された照明データによる照明が照明装置５０で併せて行われる。この結果、第２カラオケ装置１０Ｂによる歌唱者に、第１カラオケ装置１０Ａによる歌唱者の歌唱と仮想的な一体感（高度なコラボレーション歌唱）を与えることができる。
【００４３】
本実施形態による上記の手法を図２〜図５を用いて詳細に説明する。第１カラオケ装置１０Ａにおいて実行される制御手順を図２により説明する。図２において、例えば図示しないカラオケ管理者により例えば第１カラオケ装置１０Ａの電源がオンにされることによって、このフローが開始される。
【００４４】
まずステップＳ１０で、第１カラオケ装置１０Ａの制御部１０１は、ユーザによるカラオケ演奏曲の予約が行われたか否かを判定する。ユーザが操作部１０４の直接操作又はリモコン２５を介した操作によりカラオケ演奏曲の予約操作を行うと、そのカラオケ演奏曲を特定する曲ＩＤを取得するとともに、予約が受け付けられて、カラオケ演奏曲の予約が行われたと判定する。ユーザによるカラオケ演奏曲の予約が行われるまで判定が満たされず、ステップＳ１０をループして待機する。ユーザによるカラオケ演奏曲の予約が行われたら、判定が満たされてステップＳ１５に移る。
【００４５】
ステップＳ１５では、制御部１０１は、大容量記憶装置１０３に制御信号を出力して、上記ステップＳ１０でのカラオケ演奏曲の予約に基づき、大容量記憶装置１０３から、当該予約に係わるカラオケ演奏曲に対応した楽曲データ、背景映像データ、歌詞データ、及び照明データ等を読み出す。そして、音源１０６等（第１楽曲再生手段）に、上記楽曲データの再生を開始させるとともに、表示部１０９に、上記楽曲データの再生と同期して、上記背景映像データ及び歌詞データの表示を開始させる。これにより、歌唱者は、楽曲データに基づき再生されるカラオケ演奏曲を歌唱することができる。
【００４６】
ステップＳ２０では、制御部１０１は、カメラ４０に制御信号を出力して、カメラ４０により、カラオケルームＫＲ内のカラオケ演奏曲を歌唱している歌唱者の姿を含む所定範囲の視野を動画撮影し（但し、歌唱者がいない状態での当該所定範囲を動画撮影してもよい）、撮影した動画の録画を開始させる。動画録画で取得された映像データは、大容量記憶装置１０３に記憶される。なお、このカラオケ歌唱の映像データに対し、マイク３０により取得されたユーザのカラオケ歌唱の音声データを付随させるようにしてもよい（後述の図４（ａ）参照）。
【００４７】
その後、ステップＳ２５では、制御部１０１は、照明装置５０（第１演出装置）の照明コントローラ５０ａ（第１照明コントローラ）に制御信号を出力する。これにより、上記楽曲データの再生にしたがい、照明装置５０の照明が上記照明データに対応した照明に制御され、照明装置５０によるカラオケルームＫＲ内の照明が開始される。なお、このステップＳ２５が、各請求項記載の第１制御信号出力手段として機能するとともに、制御信号出力手段としても機能する。
【００４８】
ステップＳ３０では、制御部１０１は、ユーザによる照明装置５０の照明態様を変更する照明操作があったか否かを判定する。ユーザが照明装置５０の照明態様を変更する照明操作を行った場合、判定が満たされ、ステップＳ３５に移る。ユーザが照明態様を変更する操作を行わなかった場合、ステップＳ３０の判定が満たされず、ステップＳ４０に移る。
【００４９】
ステップＳ３５では、制御部１０１は、照明データをユーザによる照明態様を変更したデータに変更し、当該変更した照明データにしたがって照明コントローラ５０ａを介して照明装置５０の照明態様を制御する。上記変更した照明データは、大容量記憶装置１０３に記憶される。なお、このステップＳ３５が、各請求項記載のデータ生成手段として機能する。その後、ステップＳ４０に移る。
【００５０】
ステップＳ４０では、制御部１０１は、楽曲の再生が終了したかどうかを判定する。楽曲の再生が終了したときは、判定が満たされてステップＳ４５に移る。一方、楽曲の再生が終了していないときは、判定が満たされず、ステップＳ１５に戻り、ステップＳ１５〜ステップＳ４０の手順を繰り返す。
【００５１】
ステップＳ４５では、制御部１０１は、前述のステップＳ２０で録画された映像データと、ステップＳ２５で使用され（必要に応じてステップＳ３５で変更され）た照明データとを、大容量記憶装置１０３から読み出す。その後、それら映像データ及び照明データを、前述のステップＳ１０の曲の予約で取得されたカラオケ演奏曲の曲ＩＤと関連付けて、ホストサーバ２０にアップロードする。なお、このときに送信されるデータ構造については後述する。ホストサーバは、上記アップロードされたデータを、ホストサーバ２０の情報記憶手段に記憶する。
【００５２】
なお、このステップＳ４５が、各請求項記載のデータ送信手段として機能する。ステップＳ４５が完了すると、第１カラオケ装置１０Ａでの作業が終了し、このフローを終了する。
【００５３】
第２カラオケ装置１０Ｂにおいて実行される制御手順を図３により説明する。図３において、例えば図示しないカラオケ管理者により第２カラオケ装置１０Ｂの電源がオンにされることによって、このフローが開始される。
【００５４】
まずステップＳ１００で、第２カラオケ装置１０Ｂの制御部１０１は、ユーザにより、コラボレーション用の動画（少なくとも１つの上記第１カラオケ装置１０Ａにより撮影されアップロードされた、カラオケ演奏曲を歌唱している歌唱者の姿を含む所定範囲の視野を撮影した動画）を取得する要求があるか否かを判定する。ユーザが操作部１０４の直接操作又はリモコン２５を介した操作によりコラボレーション用の動画の要求操作を行うまでは当該判定が満たされず、ステップＳ１００をループして待機する。ユーザによる上記コラボレーション用の動画の要求操作が行われたら判定が満たされ、ステップＳ１１５に移る。
【００５５】
ステップＳ１１５では、制御部１０１は、ホストサーバ２０にアクセスしてその時点でいずれかの第１カラオケ装置１０Ａから（又は第２カラオケ装置１０Ｂからでもよい）からアップロードされて蓄積されている、コラボレーション用の動画の一覧を取得する。そして、制御部１０１は、表示部１０９に制御信号を出力して、上記取得したコラボレーション用の動画の少なくとも１つの識別情報（例えば、楽曲名称、日付、投稿者コメント等）を一覧表示する。
【００５６】
ステップＳ１２０では、制御部１０１は、ユーザにより、例えば操作部１０４を介し、上記一覧表示の中から少なくとも１つのコラボレーション用の動画が選択された否かを判定する。ユーザが操作部１０４の直接操作又はリモコン２５を介した操作によりコラボレーション用の動画の選択操作を行うまでは判定が満たされずループ待機する。コラボレーション用の動画の選択操作が行われると、その動画に対応したカラオケ演奏曲を特定する曲ＩＤが決定されるとともに、当該カラオケ演奏曲の予約が受け付けられる。なお、このステップＳ１２０が、各請求項記載の予約受付手段として機能する。
【００５７】
ステップＳ１２５では、制御部１０１は、上記ステップＳ１２０で予約されたカラオケ演奏曲に対する曲ＩＤをホストサーバ２０に送信し、ホストサーバ２０の情報記憶手段から当該曲ＩＤに対応した映像データ（コラボレーション用の動画）及び照明データをダウンロードする。ダウンロードされた映像データ及び照明データは大容量記憶装置１０３に記憶される。なお、このステップＳ１２５が、各請求項記載のデータ取得手段として機能する。
【００５８】
その後、ステップＳ１３０で、制御部１０１は、大容量記憶装置１０３に制御信号を出力して、上記ステップＳ１２０でのカラオケ演奏曲の予約に基づき、大容量記憶装置１０３から、当該予約に係わるカラオケ演奏曲に対応した楽曲データ、歌詞データ、及び照明データ等を読み出す。そして、音源１０６等（第２楽曲再生手段）に、上記楽曲データの再生を開始させるとともに、表示部１０９に、上記楽曲データの再生と同期して、上記背景映像データ及び歌詞データの表示を開始させる。これにより、歌唱者は、楽曲データの再生によるカラオケ演奏曲に則って歌唱することになる。
【００５９】
ステップＳ１３５では、制御部１０１は、楽曲の再生が行われるにしたがい、上記ステップＳ１２５で取得した映像データを再生して、表示部１０９に、コラボレーション用の動画の表示を開始させる。
【００６０】
ステップＳ１４０では、制御部１０１は、カメラ４０に制御信号を出力して、カメラ４０により、カラオケルームＫＲ内のカラオケ演奏曲を歌唱している歌唱者の姿を含む所定範囲の視野を動画撮影し、撮影した動画の録画を開始させる。
【００６１】
ステップＳ１４５では、制御部１０１は、照明装置５０（第２演出装置）の照明コントローラ５０ａに制御信号を出力する。これにより、上記楽曲データの再生にしたがい、照明装置５０が、上記ステップＳ１２５で取得した照明データに対応した照明態様に制御され、照明装置５０によるカラオケルームＫＲ内の照明が開始される。なお、このステップＳ１４５が、各請求項記載の第２制御信号出力手段として機能するとともに、制御信号出力手段としても機能する。
【００６２】
その後、ステップＳ１５０では、制御部１０１は、照明装置５０の照明コントローラ５０ａに制御信号を出力して、ユーザによる照明装置５０の照明操作があったか否かを判定する。適宜の照明操作手段等を介しユーザによる照明装置５０の照明態様を変更する照明操作があった場合、判定が満たされてステップＳ１５５に移る。照明態様を変更する照明操作がなかった場合は、ステップＳ１５０の判定が満たされず、ステップＳ１６０に移る。
【００６３】
ステップＳ１５５では、制御部１０１は、照明データをユーザによる照明態様を変更したデータに変更し、変更した照明データにしたがい照明コントローラ５０ａを介し照明装置５０の照明態様を制御する。変更した照明データは、大容量記憶装置１０３に記憶される。その後、ステップＳ１６０に移る。
【００６４】
ステップＳ１６０では、制御部１０１は、楽曲の再生が終了したかどうかを判定する。楽曲の再生が終了したときは、判定が満たされてステップＳ１７０に移る。一方、楽曲の再生が終了していないときは、判定が満たされず、ステップＳ１３０に戻り、ステップＳ１３０〜ステップＳ１６０の手順を繰り返す。
【００６５】
ステップＳ１６５では、制御部１０１は、前述のステップＳ１４０で録画された映像データと、ステップＳ１４５で使用され（必要に応じてステップＳ１５５で変更され）た照明データとを、大容量記憶装置１０３から読み出す。その後、それら映像データ及び照明データを、前述のステップＳ１００の曲の予約で取得されたカラオケ演奏曲の曲ＩＤと関連付けて、ホストサーバ２０にアップロードする。なお、このときに送信されるデータ構造については後述する。ホストサーバ２０は、上記アップロードされたデータを上記情報記憶手段に記憶させる。ステップＳ１６５が完了すると、第２カラオケ装置１０Ｂでの作業が終了し、このフローを終了する。なお、このステップＳ１６５が、各請求項記載の新データ送信手段として機能する。
【００６６】
図４に、上記図２のステップＳ４５や、図３のステップＳ１６５で、第１カラオケ装置１０Ａや第２カラオケ装置１０Ｂからホストサーバ２０に送信される送信データの一例を模式的に示す。
【００６７】
図４（ａ）は、送信データのデータ構造を示し、カラオケ演奏曲の曲ＩＤと、上記映像データと、照明データとが、互いに関係付けられて、１つのデータフレームを形成している。なお、この例では、前述したように、照明データは、マイク３０を介し取得されたユーザの歌唱の音声データとともに、カメラデータとして組み込まれている。
【００６８】
そして、図４（ａ）に示される照明データは、詳細を図４（ｂ）に示すように、この例では、曲の最初から終わりに向かって、「Ａ」「Ｂ」「Ｃ」「Ａ」「Ｂ」「Ｃ」「Ｄ」「Ｄ」「Ｄ」・・「Ｘ」「Ｙ」「Ｚ」の順で並んでいる。これにより、各アルファベットに対応した照明態様が当該配列順に時系列的に実現される。
【００６９】
図４（ｃ）は、上記図４（ｂ）に示す照明データに対し、上記ステップＳ３５やステップＳ１５５において照明態様の変更操作が行われ、データ変更が行われた場合の一例を示している。この例では、曲の開始から７番目、８番目、９番目に実行される照明データが、変更前は図４（ｂ）に示したように「Ｄ」「Ｄ」「Ｄ」であったところ、変更後は図４（ｃ）に示すように「Ｅ」「Ｅ」「Ｅ」となっている。
【００７０】
以上説明したように、本実施形態の通信カラオケシステム１は、第１カラオケ装置１０Ａと、第２カラオケ装置１０Ｂと、これら第１及び第２カラオケ装置１０Ａ，１０Ｂに通信可能に接続されたホストサーバ２０とを有している。
【００７１】
第１カラオケ装置１０Ａでは、第１楽曲再生手段である音源１０６等により楽曲データが再生されると、当該楽曲データに関連付けられた照明データが第１カラオケ装置１０Ａから照明装置５０より出力される（図５のステップＳＳ１、図２のステップＳ２５参照）。これにより、楽曲データの再生にしたがった所定の態様で照明装置５０による照明が行われる。そして、その態様による照明を用いながら当該楽曲データのカラオケ演奏曲を歌唱している歌唱者の姿が、カメラ４０によって撮影され、映像データが生成される。生成された映像データは、当該カラオケ演奏曲の曲ＩＤと、上記照明データとともに、第１カラオケ装置１０Ａからホストサーバ２０へ出力されてアップロードされる（図５のステップＳＳ１、図２のステップＳ４５参照）。ホストサーバ２０は、それら映像データ、曲ＩＤ、照明データを、セットで上記情報記憶手段に記憶する。
【００７２】
その後、第２カラオケ装置１０Ｂでは、ユーザがカラオケ演奏曲の予約を行い、その予約が受け付けられると、上記受け付けられたカラオケ演奏曲の曲ＩＤが（ダウンロード要求として）ホストサーバ２０に送信される（図５のステップＳＳ３、図３のステップＳ１２０参照）。これにより、ホストサーバ２０の情報記憶手段に曲ＩＤにそれぞれ対応付けられて記憶された、複数の曲の映像データ及び照明データの中から、上記送信された曲ＩＤに対応した映像データ及び照明データがダウンロードされ、第２カラオケ装置１０Ｂによって取得される（図５のステップＳＳ４、図３のステップＳ１２５参照）。
【００７３】
そして、上記予約に対応して音源１０６等によって楽曲データの再生が行われると、その再生にしたがい、表示部１０９が上記取得された映像データの表示を行う。これにより、第２カラオケ装置１０Ｂのユーザは、過去に第１カラオケ装置１０Ａのユーザ（別のユーザでもよいし、同一ユーザでもよい）が歌唱した同じ曲（当該曲ＩＤに係わる曲）の歌唱映像を再生して見ながら、当該過去に歌唱したユーザと仮想的に一体化した態様で、当該曲の歌唱を楽しむことができる。（コラボレーション歌唱）
しかもそのとき、上記音源１０６等による楽曲データの再生にしたがい、第２制御信号出力手段が上記取得された照明データを実現するための制御信号を出力する（図５のステップＳＳ５、図３のステップＳ１４５参照）。これにより、過去に第１カラオケ装置１０Ａのユーザが歌唱したときと同じ態様の照明を、第２カラオケ装置１０Ｂ側の照明装置５０によって再現することができる。この結果、第２カラオケ装置１０Ｂのユーザは、上記過去にユーザが歌唱したときと同じ演出効果を得ることができ、さらに上記仮想的な一体感を向上することができる。
つまり、高度なコラボレーション歌唱が実現できる。
【００７４】
また、第２カラオケ装置１０Ｂは、上記のようにして照明が実行されながら上記楽曲データの再生が行われるとき、当該楽曲データに係わる前記カラオケ演奏曲を歌唱している歌唱者を含む所定範囲の視野を撮影し、当該所定範囲の映像データを生成する。また、第２カラオケ装置１０Ｂは、上記のようにして実行された態様の照明に対し上記ユーザによってさらに態様を変更する操作がなされた場合、当該変更操作に応じた新たな照明データを生成する。これにより、ユーザが意図的に照明態様を修正したときに、その修正した態様をこれ以降さらに再現するための照明データが新たに生成されることになる（図５、コラボ録画）。
【００７５】
そして、上記カメラ４０により生成された所定範囲の映像データと、当該カラオケ演奏曲に係わる曲ＩＤと、上記生成された新たな照明データとが、互いに関連付けてコラボ録画データとしてホストサーバ２０へ出力される（図５のステップＳＳ６、図３のステップＳ１６５参照）。このように、上記の修正された照明データがホストサーバ２０にアップロードされることにより、これ以降、当該カラオケ演奏曲の歌唱時において、上記照明データに対応した新たな照明態様を、他のユーザ（又は同一ユーザでもよい）が容易に再現可能となる。この結果、前述のように照明態様を修正した場合であっても、演出効果の一体性は失われないので、以降、上記仮想的な一体感のある高度なコラボレーションを確実に維持することができる。
【００７６】
なお、以上においては、演出の一例として照明を例にとり、演出装置としての照明装置で実行される演出データとしての照明データが、異なるカラオケ装置において同一の照明効果が再現されるようにしたが、これに限られない。すなわち、照明以外の、ミラーボールや、スモーク等の他の演出に本発明を適用してもよい。この場合も、上記同様の効果を得る。
【００７７】
以上、本発明の実施形態について説明したが、本発明は、その趣旨を逸脱しない範囲内において、種々の変更が加えられて実施されるものである。
【符号の説明】
【００７８】
１                カラオケ通信システム
１０              カラオケ装置
１０Ａ            第１カラオケ装置
１０Ｂ            第２カラオケ装置
４０              カメラ（動画撮影手段）
５０              照明装置
５０ａ            照明コントローラ
１０３            大容量記憶装置（楽曲データ記憶手段）
１０６            音源
１０９            表示部（表示手段）
【図１】
0005293976.tif 000002
【図２】
0005293976.tif 000003
【図３】
0005293976.tif 000004
【図４】
0005293976.tif 000005
【図５】
0005293976.tif 000006